【事件の表示】
　特願２０００−１３３９４９「パチンコ遊技機」拒絶査定不服審判事件〔平成１２年１２月１２日出願公開、特開２０００−３４２８０７〕について、次のとおり審決する。
【結論】
　本件審判の請求は、成り立たない。
【理由】
第１．手続の経緯
　本願は、平成１０年９月２４日に出願した特願平１０−２８８７１２号の一部を平成１２年５月２日に新たな特許出願としたものであって、平成１５年４月２８日付で拒絶査定がなされ、これに対し、同年６月５日に拒絶査定に対する審判請求がなされるとともに、同年７月２日受付で手続補正がなされたものである。
第２．平成１５年７月２日受付の手続補正についての補正却下の決定
［補正却下の決定の結論］
　平成１５年７月２日受付の手続補正を却下する。
［理由］
　１．補正後の本願発明
　本件補正により、特許請求の範囲の請求項１は、
「【請求項１】遊技盤に設けられた始動入賞口に打球が入球することにより図柄変動表示器の複数の表示列に夫々数字，記号等の種々の図柄が動画状に流れる如くに変動表示され、該表示列の内の少なくとも２つの表示列が同一図柄にて停止することで選択されたリーチ表示態様に従って最後の表示列が時間差を伴って停止するリーチ表示態様を備えた図柄制御手段と、該各表示列が同一図柄にて停止した場合に大当たりとなって可変入賞装置が継続的に開成状態となる大当たり制御手段とを遊技制御基板に構成したパチンコ遊技機において、前記図柄制御手段は、前記図柄変動表示器に各表示列の図柄が変動表示されるのに従いその背景も動画状に変動表示されるようにする
ものであり、かつ該図柄制御手段は、該図柄変動表示器に表示される
該図柄変動表示器に表示される
該図柄変動表示器に表示される
時間逆行状に
巻戻状表示を
該図柄変動表示器に表示される
該図柄変動表示器に表示される
該スーパーリーチ表示態様にて
該図柄変動表示器に表示される
（以下、「本願補正発明」という。）と補正された。
　上記補正は、補正前の請求項１に記載した発明を特定するために必要な事項である「巻戻状表示」が「時間逆行状」に行われるものに限定するものであって、特許法第１７条の２第４項第２号の特許請求の範囲の減縮を目的とするものに該当する。
　そこで、本願補正発明が特許出願の際独立して特許を受けることができるものであるか（平成１５年改正前特許法第１７条の２第５項において準用する同法第１２６条第４項の規定に適合するか）について以下に検討する。
　２．刊行物記載の発明
　原査定の拒絶の理由に引用された、本願の出願日前である平成１０年８月１日に頒布された刊行物である「パチプロ必勝本，株式会社綜合図書，平成１０年８月１日，８月号，ｐ．８−１０」（以下、「引用刊行物」という）には、図面と共に以下の事項が記載されている。
　（１−１）「「八丈島のキョン」や「アフリカ象が好き」という名作ギャグを使ったスーパーリーチや、んぺと予告に出刃狸前兆と、がきデカ世代にはたまらない出来映え。また、基本パターン以外にも、様々な高確率＆大当たり確定パターンも搭載されているのがＣＲがきデカの特徴で、デジタルのある部分が普段とは違う状態になれば期待度が大幅にアップ。様々なポイントがあるだけに、デジタルからは常に目を離す事ができないのだ。」（第８ページ下から２段〜最下段「出玉性能と演出が高いレベルで合体」の項第１４〜２５行）
　（１−２）「ＣＲがきデカ３　ＣＲデジパチ」（第８ページ中段）
　（１−３）第８ページ上段に記載された写真には、上部に７７７、下部に出刃狸の絵が表示されたデジタル、ＳＴＡＲＴと記された入賞口及びＯＰＥＮと記された入賞口を備えた遊技盤が示されている。
　（１−４）「大当たり絵柄は全１２種類」（第８ページ最下段左側）
　（１−５）「リーチ前画面に変化が！！」（第８ページ上段右側）
　（１−６）「回転開始時に窓が開き、こまわり君の友達が顔を出す事がある。ほとんどの場合は左からは男、右からは女となっているが、これが逆になると大当たり期待度大幅アップ。」（第９ページ上段左側「ウィンドウアクションの謎」の項第１〜３行）
　（１−７）第９ページ上段右側「大当たりまでのデジタルフローチャート」の項には、「ウィンドウアクション」→「スペシャルリーチ予告」→「ノーマルリーチ」→「スーパーリーチ」の流れがあり、「スーパーリーチ」には、「お祈りリーチ」、「八丈島のキョンリーチ」、「アフリカ象リーチ　鼻止め」、「アフリカ象リーチ　鼻投げ」があることが示されている。
　（１−８）「３パターンのノーマルリーチは、実戦上信頼度が僅かに０．８％。ほとんど期待できないので、発展する事を祈ろう」（第１０ページ上段右側「基本は７種類　リーチにも秘密が隠されていた！！」の項「ノーマル系」の欄第１〜４行）
　（１−９）「各リーチの実戦上信頼度は、お祈り狸が１５．４％、八丈島のキョンが２６．７％、アフリカ象鼻止めが１６．６％、アフリカ象鼻投げが４０％となっている。」（第１０ページ上段右側「基本は７種類　リーチにも秘密が隠されていた！！」の項「スーパーリーチ系」の欄第１〜２行）
　パチンコ遊技機において、始動入賞口に打球が入球することにより図柄変動表示器の複数の表示列にそれぞれ数字，記号等の種々の図柄が動画状に流れる如くに変動表示され、該表示列の内の少なくとも２つの表示列が同一図柄にて停止することで選択されたリーチ表示態様に従って最後の表示列が時間差を伴って停止するリーチ表示態様を備えた図柄制御手段と、該各表示列が同一図柄にて停止した場合に大当たりとなって可変入賞装置が継続的に開成状態となる大当たり制御手段とを備えたものが、本願出願前において周知であることを勘案すると、上記記載事項（１−１）ないし（１−９）及び図面の記載によれば、引用刊行物には、
「遊技盤に設けられたＳＴＡＲＴと記された入賞口に打球が入球することによりデジタルの３つの表示列にそれぞれ数字，キャラクター等の種々の絵柄が動画状に流れる如くに変動表示され、該表示列の内の２つの表示列が同一絵柄にて停止することで選択されたリーチ表示態様に従って最後の表示列が時間差を伴って停止するリーチ表示態様を備えた図柄制御手段と、該各表示列が同一絵柄にて停止した場合に大当たりとなってＯＰＥＮと記された入賞装置が継続的に開成状態となる大当たり制御手段とを備えたＣＲデジパチにおいて、前記図柄制御手段は、前記デジタルを上下に分割し、上部に前記表示列を設けて絵柄を変動表示させ、それに従い下部に場面が動画状に変動表示されるようにするものであり、
　該デジタルに表示される表示列の内の２つの表示列が同一図柄にて停止した３パターンのノーマルリーチとなった場合に、ノーマルリーチとは異なる場面が動画状に変動表示される４パターンのスーパーリーチに発展する場合があり、
　各リーチの実戦上信頼度が、ノーマルリーチは０．８％、スーパーリーチのお祈り狸は１５．４％、八丈島のキョンは２６．７％、アフリカ象鼻止めは１６．６％、アフリカ象鼻投げは４０％であるＣＲデジパチ。」
の発明（以下、「引用発明」という。）が記載されていると認められる。
　３．対比
　本願補正発明と引用発明とを対比すると、引用発明における「ＳＴＡＲＴと記された入賞口」、「デジタル」、「３つの表示列」、「数字，キャラクター等の種々の絵柄」、「ＯＰＥＮと記された入賞装置」、「ＣＲデジパチ」、「ノーマルリーチ」、「スーパーリーチ」は、本願補正発明における「始動入賞口」、「図柄変動表示器」、「複数の表示列」、「数字，記号等の種々の図柄」、「可変入賞装置」、「パチンコ遊技機」、「図柄変動表示器に表示される表示列の内の少なくとも２つの表示列が同一図柄にて停止した場合」、「スーパーリーチ表示態様」にそれぞれ対応する。
　引用発明における「場面」と本願補正発明における「背景」とは、図柄とは異なる映像である点において共通している。
　引用発明における各リーチの実戦上信頼度は、ノーマルリーチが０．８％、スーパーリーチのお祈り狸が１５．４％、八丈島のキョンが２６．７％、アフリカ象鼻止めが１６．６％、アフリカ象鼻投げが４０％であるから、引用発明におけるスーパーリーチは、ノーマルリーチよりも高確率で図柄変動表示器（デジタル）に表示される各表示列を同一図柄にて停止させるものといえる。
　そして、引用発明はノーマルリーチとなった場合にスーパーリーチに発展する場合があるものであるから、引用発明はノーマルリーチとなった場合に非必然性をもってスーパーリーチになる場合があるものといえる。
　また、本願補正発明は、巻き戻しを実行することが決せられた場合に、巻戻状表示の後にスーパーリーチ表示態様を選択するものであるから、本願補正発明において巻き戻しを実行するかどうかを非必然性をもって決定することは、スーパーリーチ表示態様を行うかどうかを非必然性をもって決定することに等しいといえる。
　よって、引用発明と本願補正発明とは、図柄変動表示器に表示される表示列の内の少なくとも２つの表示列が同一図柄にて停止した場合に、非必然性をもって高確率で該図柄変動表示器に表示される各表示列を同一図柄にて停止させるスーパーリーチ表示態様になる場合があり、スーパーリーチ表示態様での変動表示後の停止図柄が同一図柄であると大当たりとなるパチンコ遊技機として共通する構成を備えているといえる。
　よって、本願補正発明と引用発明とは、以下の点でそれぞれ、一致ならびに相違（相違点ａ〜ｄ）すると認められる。
　一致点：遊技盤に設けられた始動入賞口に打球が入球することにより図柄変動表示器の複数の表示列に夫々数字，記号等の種々の図柄が動画状に流れる如くに変動表示され、該表示列の内の少なくとも２つの表示列が同一図柄にて停止することで選択されたリーチ表示態様に従って最後の表示列が時間差を伴って停止するリーチ表示態様を備えた図柄制御手段と、該各表示列が同一図柄にて停止した場合に大当たりとなって可変入賞装置が継続的に開成状態となる大当たり制御手段とを備えたパチンコ遊技機において、
　前記図柄制御手段は、前記図柄変動表示器に各表示列の図柄が変動表示されるのに従い図柄とは異なる映像も動画状に変動表示されるようにするものであり、
　図柄変動表示器に表示される表示列の内の少なくとも２つの表示列が同一図柄にて停止した場合に、非必然性をもって高確率で該図柄変動表示器に表示される各表示列を同一図柄にて停止させるスーパーリーチ表示態様になる場合があり、スーパーリーチ表示態様での変動表示後の停止図柄が同一図柄であると大当たりとなるパチンコ遊技機である点。
　相違点ａ：図柄変動表示器に変動表示される図柄とは異なる映像が、本願補正発明においては、図柄の背景であるのに対し、引用発明においては、図柄の表示領域とは異なる領域に表示される場面である点。
　相違点ｂ：スーパーリーチ表示態様にて変動表示をする前に、本願補正発明においては、図柄変動表示器に表示される図柄及び背景の表示画像全体を時間逆行状に過去の表示時点まで通常速度よりも高速にて巻戻状表示をするのに対し、引用発明においては、巻戻状表示をしない点。
　相違点ｃ：スーパーリーチ表示態様を経て大当たりとなる制御を行うための構成に関して、本願補正発明においては、図柄制御手段が図柄変動表示器に表示される表示列の内の少なくとも２つの表示列が同一図柄にて停止したかどうかを判別するステップと、該図柄変動表示器に表示される表示列の内の少なくとも２つの表示列が同一図柄にて停止した場合に巻き戻しを実行するかどうかを総ての図柄が停止する直前に非必然性をもって決定するステップと、巻き戻しを実行することが決せられた場合に該図柄変動表示器に表示される上記背景を含めた表示画像全体を時間逆行状に過去の表示時点まで通常速度よりも高速にて巻戻状表示をするステップと、その巻戻状表示の後に新たに高確率で該図柄変動表示器に表示される各表示列を同一図柄にて停止させるスーパーリーチ表示態様を選択するステップと、該図柄変動表示器に表示される各表示列の図柄および背景を該スーパーリーチ表示態様にて再び動画状に変動表示するステップと、該図柄変動表示器に表示される該各表示列の再変動表示後の停止図柄を判定し大当たりの可否を決するステップとを備え、該図柄変動表示器の表示状態に従って、複数のステップにより順次該図柄変動表示器の制御内容を決定し、大当たりとなる条件を満たしているかを判定していくのに対し、引用発明においては、制御のための具体的構成が不明である点。
　相違点ｄ：図柄制御手段と大当たり制御手段とが、本願補正発明においては、遊技制御基板に構成されるのに対し、引用発明においては、どこに構成されるのか不明である点。
　４．判断
　（１）相違点ａの検討
　パチンコ遊技機において図柄変動表示器に変動表示される図柄の背景に図柄とは異なる映像を動画状に変動表示させることは、例えば、「パチンコ必勝ガイド　爆裂年鑑‘９８，株式会社白夜書房，平成１０年２月９日，ｐ．１２−１３，１６−１９」、「パチンコ必勝ガイド　爆裂年鑑　’９７，株式会社白夜書房，平成９年２月９日，ｐ．２０−２５，５２−５５，２４４−２４７」に記載されているように本願出願前において周知（以下、「周知技術ａ」という。）である。
　よって、引用発明において、図柄変動表示器に変動表示される図柄とは異なる映像を図柄の表示領域とは異なる領域に表示する構成に代えて、上記周知技術ａのように図柄とは異なる映像を図柄の背景に表示させるようにして、上記相違点ａに係る本願補正発明の構成を得ることは、当業者であれば容易に想到し得る事項である。
　（２）相違点ｂの検討
　パチンコ遊技機において、その後の遊技状態を事前に報知することは、例えば、特開平６−３０４３１３号公報、前記「パチンコ必勝ガイド　爆裂年鑑‘９８，株式会社白夜書房，平成１０年２月９日，ｐ．１２−１３，１６−１９」に記載されているように本願出願前において周知（以下、「周知技術ｂ」という。）である。
　そして、どのようにして報知をするかは、当業者であれば必要に応じて適宜選択し得る設計事項である。
　また、パチンコ遊技機において図柄の変動表示の方向を切り換えることも、例えば、特開平７−１８５０８８号公報、特開平９−１２２３１３号公報及び特開平１０−１６５５８５号公報に記載されているように本願出願前において周知（以下、「周知技術ｃ」という。）である。
　そして、逆方向の変動表示をどのような早さで行うかは、例えば、上記特開平７−１８５０８８号公報に巻き戻し再生及び逆再生が例示されているように、当業者であれば必要に応じて適宜選択し得る設計事項である。
　そうすると、引用発明において、上記周知技術ｂに基づきスーパーリーチ表示態様になることを事前に報知するようにし、その際、上記周知技術ｃにおける変動表示の方向を切り換える構成を報知手段として採用し、図柄及び図柄とは異なる映像を時間逆行状に過去の表示時点まで通常速度よりも高速にて巻戻状表示をするようにして上記相違点ｂに係る本願補正発明の構成を得ることは、当業者であれば容易に想到し得る事項である。
　（３）相違点ｃの検討
　パチンコ遊技機において図柄変動表示器を用いた遊技により大当たり判定をする際に、該図柄変動表示器の表示状態に従って、複数のステップにより順次該図柄変動表示器の制御内容を決定し、大当たりとなる条件を満たしているかを判定していくか、予め決定した結果に沿うように該図柄変動表示器の表示状態を制御していくかは、当業者であれば必要に応じて適宜選択し得る設計事項である。
　そして、引用発明において、図柄変動表示器（デジタル）の表示状態に従って、複数のステップにより順次該図柄変動表示器の制御内容を決定し、大当たりとなる条件を満たしているかを判定していく場合に、引用発明は２つの表示列が同一図柄にて停止するとノーマルリーチとなるものであるから、当業者であれば、引用発明は、図柄変動表示器（デジタル）に表示される表示列の内の少なくとも２つの表示列が同一図柄にて停止したかどうかを判別するステップを必要とするものであると解釈できるものと認められる。
　さらに、引用発明はノーマルリーチとなった場合にスーパーリーチに発展する場合があるものであるから、当業者であれば、引用発明は、図柄変動表示器に表示される表示列の内の少なくとも２つの表示列が同一図柄にて停止した場合に、スーパーリーチに発展させるかどうかを総ての図柄が停止する前に非必然性をもって決定するステップと、スーパーリーチに発展させると決せられた場合に、新たに高確率で該図柄変動表示器に表示される各表示列を同一図柄にて停止させるスーパーリーチ表示態様を選択するステップと、図柄変動表示器に表示される各表示列の図柄および図柄とは異なる映像（場面）を該スーパーリーチ表示態様にて動画状に変動表示するステップと、該図柄変動表示器に表示される該各表示列のスーパーリーチ表示態様での変動表示後の停止図柄を判定し大当たりの可否を決するステップと、を必要とするものであると解釈できるものと認められる。
　また、上記「（２）相違点ｂの検討」において論じたように、表示画像全体を時間逆行状に過去の表示時点まで通常速度よりも高速にて巻戻状表示をすることによりスーパーリーチ表示態様になることを事前に報知することは、当業者であれば容易に想到し得る事項であり、そのようにする場合には、当業者であれば、引用発明は、巻き戻しを実行するかどうかを総ての図柄が停止する前に決定するステップと、巻き戻しを実行することが決せられた場合に該図柄変動表示器に表示される表示画像全体を時間逆行状に過去の表示時点まで通常速度よりも高速にて巻戻状表示をするステップと、を必要とするものであると解釈できるものと認められる。ここで、巻き戻しを実行するタイミング（スーパーリーチ表示態様になることを事前報知するタイミング）は当業者であれば必要に応じて適宜選択し得る設計事項であり、巻き戻しを実行するかどうかを決定するタイミングは、総ての図柄が停止する前で巻き戻しを実行するタイミングよりも前であればよいことは明らかであるので、巻き戻しを実行するかどうかを決するタイミングを総ての図柄が停止する直前とすることに、格別な技術的意義があるとは認められない。
　よって、引用発明において、図柄変動表示器の表示状態に従って、複数のステップにより順次該図柄変動表示器の制御内容を決定し、大当たりとなる条件を満たしているかを判定していくようにして、上記相違点ｃに係る本願補正発明の構成を得ることは、当業者であれば容易に想到し得る事項である。
　（４）相違点ｄの検討
　複数の制御手段を共通の基板に構成するか、それぞれ個別の基板に構成するかは、当業者であれば必要に応じて適宜選択し得る設計事項である。
　よって、引用発明において、図柄制御手段と大当たり制御手段とを遊技制御基板に構成するようにして、上記相違点ｄに係る本願補正発明の構成を得ることは、当業者であれば容易に想到し得る事項である。
　（５）作用効果の検討
　本願補正発明の奏する作用効果は、上記引用刊行物の記載及び上記各周知技術ａないしｃから当業者が予測できる範囲のものである。
　（６）まとめ
　したがって、本願補正発明は、上記引用発明及び上記各周知技術ａないしｃに基づいて、当業者が容易に発明をすることができたものであるから、特許法第２９条第２項の規定により特許出願の際独立して特許を受けることができないものである。
　５．むすび
　以上のとおり、本件補正は、平成１５年改正前特許法第１７条の２第５項において準用する同法第１２６条第４項の規定に違反するものであり、特許法第１５９条第１項において読み替えて準用する同法第５３条第１項の規定により却下すべきものである。
第３．本願発明について
　１．本願発明
　平成１５年７月２日受付の手続補正は上記のとおり却下されたので、本願の請求項１に係る発明（以下、「本願発明」という。）は、平成１５年２月２８日受付手続補正書により補正された明細書の特許請求の範囲の請求項１に記載された事項により特定される、以下のとおりのものである。
「【請求項１】遊技盤に設けられた始動入賞口に打球が入球することにより図柄変動表示器の複数の表示列に夫々数字，記号等の種々の図柄が動画状に流れる如くに変動表示され、該表示列の内の少なくとも２つの表示列が同一図柄にて停止することで選択されたリーチ表示態様に従って最後の表示列が時間差を伴って停止するリーチ表示態様を備えた図柄制御手段と、該各表示列が同一図柄にて停止した場合に大当たりとなって可変入賞装置が継続的に開成状態となる大当たり制御手段とを遊技制御基板に構成したパチンコ遊技機において、前記図柄制御手段は、前記図柄変動表示器に各表示列の図柄が変動表示されるのに従いその背景も動画状に変動表示されるようにするとともに、表示列の内の少なくとも２つの表示列が同一図柄にて停止したかどうかを判別するステップと、表示列の内の少なくとも２つの表示列が同一図柄にて停止した場合に巻き戻しを実行するかどうかを総ての図柄が停止する直前に非必然性をもって決定するステップと、巻き戻しを実行することが決せられた場合に上記背景を含めた表示画像全体を過去の表示時点まで通常速度よりも高速にて巻戻状に表示するステップと、その巻戻状表示の後に新たに高確率で各表示列を同一図柄にて停止させるスーパーリーチ表示態様を選択するステップと、該スーパーリーチ表示態様にて各表示列の図柄および背景を再び動画状に変動表示するステップと、該各表示列の再変動表示後の停止図柄を判定し大当たりの可否を決するステップとを備えていることを特徴とするパチンコ遊技機。」
　２．刊行物記載の発明
　原査定の拒絶の理由に引用された上記引用刊行物の記載事項については、前記「第２．２．」に記載したとおりである。
　３．対比・判断
　本願発明は、実質的に、上記「第２．」で検討した本願補正発明から、「巻戻状表示」に関して「時間逆行状」に行われるとの限定を省いたものである。
　そうすると、本願発明を特定する事項をすべて含み、さらに限定を加えたものに相当する本願補正発明が、前記「第２．４．」に記載したとおり、上記引用発明及び上記各周知技術ａないしｃに基づいて当業者が容易に発明をすることができたものであるから、本願発明も、同様の理由により、上記引用発明及び上記各周知技術ａないしｃに基づいて、当業者が容易に発明をすることができたものである。
　４．むすび
　以上のとおり、本願発明は、上記引用発明及び上記各周知技術ａないしｃに基づいて、当業者が容易に発明をすることができたものであるから、特許法第２９条第２項の規定により特許を受けることができない。
　よって、結論のとおり審決する。